(57)【要約】【課題】　船用機関において、チェーン駆動装置か又は歯付きのホイール駆動装置によって駆動される回転する平衡錘を使用する必要性を減じること。【解決手段】　エンジンユニットは、プロペラを作動させるための４乃至７個のシリンダ（１８）を備えた２つの内燃機関（３）と、制御ユニット（７）とを有しており、制御ユニット（７）は、第１の作動モードにおいて、スピードと相互位相角の設定との両方によって、前記２つの内燃機関（３）の作動を同調させるために制御信号を伝達して、一方のエンジンからの外部モーメントが他方のエンジンからの外部モーメントと対抗するようになされている。制御ユニット（７）は、一方のエンジン（３）のみが作動しており且つ他方のエンジンと独立して制御信号を受け取るもう一つ別の作動モードをも有している。【選択図】　図４
2004131074.tif 000002
【特許請求の範囲】
【請求項１】
プロペラを作動させるための２つのエンジンと、制御ユニットとを有し、同制御ユニットは、第１の作動モードにおいて、スピードと相互位相角の設定との両方によって前記２つのエンジンの作動を同調させるために制御信号を伝達して、一方のエンジンからの外部モーメントが他方のエンジンからの外部モーメントと対抗するようになされている、エンジン装置であって、
　各エンジンが、４乃至７個のシリンダを有する船の中の２ストロークのクロスヘッドエンジンであり、各エンジンからの二次外部モーメントが修正無しでエンジンから船の船体へと伝達され、前記制御ユニットが、一方のエンジンのみが作動しており且つ他方のエンジンと独立して制御信号を受け取る第２の作動モードを有している、ことを特徴とするエンジン装置。
【請求項２】
請求項１に記載のエンジン装置であって、
　前記２つのエンジンが、別個のシャフトによって各々のプロペラを作動させるようになされた、エンジン装置。
【請求項３】
請求項１又は２に記載のエンジン装置であって、
　二次の外部モーメントに対してＮｍで示された不均衡な振幅の合計と、ｋＷで示されたエンジン装置の出力との間の比率が、１４０Ｎｍ／ｋＷ乃至３５０Ｎｍ／ｋＷの間隔である、エンジン装置。
【請求項４】
請求項３に記載のエンジン装置であって、
　二次の外部モーメントに対してＮｍで示された不均衡な振幅の合計と、ｋＷで示されたエンジン装置の出力との間の比率が、１４０Ｎｍ／ｋＷ乃至２７５Ｎｍ／ｋＷの間隔である、エンジン装置。
【請求項５】
請求項１ないし４のうちのいずれか一の項に記載のエンジン装置であって、
　各エンジンが７個のシリンダを有しており、四次の外部モーメントが、修正無しで船の船体に伝達される、エンジン装置。
【請求項６】
請求項１ないし５のうちのいずれか一の項に記載のエンジン装置であって、
　前記制御ユニットが、制限値が少なくとも１０°である位相誤差に対する所定の制限値よりも小さい位相偏差を許容するようになされた、エンジン装置。
【請求項７】
請求項１ないし６のうちのいずれか一の項に記載のエンジン装置であって、
　前記制御ユニットが、制限値が所望のスピードの少なくとも１５％であるスピードの誤差に対する所定の制限値よりも小さいエンジンスピードの偏差を許容するようになされた、エンジン装置。
【発明の詳細な説明】
【技術分野】
【０００１】
　本発明は、プロペラ作動のための２つのエンジンと、第１の作動モードにおいてスピードと相互位相角の設定との両方によって２つの内燃機関の作動を同期させるために制御信号を伝達して一つのエンジンからの外部モーメントが他方のエンジンからの外部モーメントに対抗するようになされた制御ユニットと、を備えたエンジン装置に関する。
【背景技術】
【０００２】
　このようなエンジン装置は、米国特許第４，２４５，９５５号に記載されており、このエンジン装置に従って、２つのエンジンからなる航空機エンジンが同期して作動して、２つのエンジンからの総外部モーメントが適切に小さくなるようになされている。従って、航空機が乗員を運ぶときに乗員室内の振動を少なくすることができる。航空機内の別の振動パターンが望ましい場合に、パイロットが、調節ボタンによってエンジン同士の間の位相差を調整することができる。
【０００３】
　更に、従来技術は、２つの回転している平衡錘がエンジンの端部に取り付けられ且つカムシャフトに結合されたチェーン駆動装置かクランクシャフトからの別個のチェーン駆動装置かによって駆動される船用機関を含んでいる。平衡錘は、クランクシャフトのスピードの２倍のスピードで互いに逆方向に回転している。
【特許文献１】米国特許第４，２４５，９５５号
【発明の開示】
【発明が解決しようとする課題】
【０００４】
　本発明の目的は、船用機関におけるチェーン駆動装置か又は歯付きのホイール駆動装置によって駆動される回転する平衡錘を使用する必要性を減じることである。
【課題を解決するための手段】
【０００５】
　上記目的に鑑みて、本発明のエンジン装置は、各エンジンが、４ないし７個のシリンダを有し且つ船の中の２ストロークのクロスヘッドエンジンであり、各エンジンからの二次外部モーメントがエンジンから船の船体への修正無しに伝達され、制御ユニットが、一方のエンジンのみが作動中であり且つ他方のエンジンとは独立して制御信号を受け取る第二の作動モードを有していることを特徴としている。
【発明の効果】
【０００６】
　エンジンから船の船体への二次外部モーメントの修正されない伝達は、クランクシャフトによって駆動される回転する平衡錘の使用を不要にする。２つのエンジンがほぼ同じスピード及び一方のエンジンからの二次外部モーメントが他方のエンジンからの二次外部モーメントと対抗するようにさせる相互位相角で作動するとき、船の船体は、たとえ平衡錘がモーメントを均衡させるために使用されていなくても、通常の連続最大出力（ＭＣＲ）が不適切に大きなモーメントによって影響を受けないであろう。
【０００７】
　一方のエンジンのみが作動している場合には、エンジンは、停止したエンジンに対して同調することなく制御される。この場合には、船の船体は、作動しているエンジンからの自由二次モーメントによって影響を受けるであろうが、この影響は、典型的には、２つのエンジンの総出力に対応する出力を有する大きなエンジンからの対応する影響の半分未満である。この実質的に低減された影響の結果として、船体振動のレベルは、許容可能な船体振動に対する制限以下である。２つの推進エンジン間のエンジン装置の出力の分割は、二次外部モーメントが一つのエンジンのみが作動しているときの船体に対するモーメントの影響の制限値より低いという事実に適用する。両方のエンジンが作動しており且つ総二次外部モーメントがこの制限値を超える場合に、一方のエンジンの外部モーメントは、他方のエンジンの外部モーメントを均衡させるために使用されて、船の船体に対する結果的なモーメントの影響は制限値より小さい。
【０００８】
　一方のエンジンのみを有するエンジン装置と比較して、２つのエンジンの間の出力の分割は、エンジン装置の作動の信頼性を改良するという補足的な利点を提供する。一方のエンジンが故障している場合には、他方のエンジンは、故障したエンジンが修理されるまで作動し続けることができる。全体的な停止状態に対するこの特別な安全性は、全体的な停止状態が極めて重大な危険性を含むかもしれないタンカー、バラ積み貨物船及びＬＮＧ運搬船のような船において特に有用である。
【０００９】
　２つのエンジンは、別個のシャフトによって各々のプロペラを作動させるのが好ましい。なぜなら、これは、典型的には、船の船体の長手方向の垂直中心面の両側上の互いに対向するエンジンの配置をもたらすからである。この場合には、船尾は、典型的には、２つの船尾管を有しており且ついわゆる双スケグの設計であっても良く又は船尾管が船尾材の各々の側部上に現れている比較的一般的な設計であっても良い。船の中心面の近くに対称的に配置されることもまた、振動に関する外部モーメントの相互均衡に対して有利である。このことは、一方のエンジンからの自由モーメントが他方のエンジンからの自由モーメントを均衡させるために使用することができるので、特に、Ｈ−タイプのガイド力モーメントからの大きな自由モーメントが存在する場合に当てはまる。相互位相角の設定に対する変動する必要性によって多くの異なるタイプの自由モーメントが存在する場合には、エンジンの相互位相角の設定は、例えば、二次外部モーメントを最小化するための理想的な相互位相角設定とＨ−タイプのガイド力モーメントからの自由モーメントを最小化するための理想的な相互位相角設定との間の折衷案として選択することができる。異なるタイプの自由モーメントが結果的な外部モーメントを最小化するための共通の理想的な相互位相角設定を有するエンジン装置においては、エンジンの相互位相角は、この理想的な相互位相角設定を得るように制御される。関連するプロペラシャフトを有するエンジンは、同じ回転方向（共回転）を有しても良く又は反対の回転方向（逆回転）を有しても良い。２つの別個のプロペラシャフトの使用に対する代替的な方法として、２つのエンジンは、所望の場合には、一方のプロペラを駆動し且つ他方のプロペラを駆動する中空のシャフト内を同軸状に延びている中心シャフトによって設計されても良い共通のシャフトを有していても良い。中心シャフトと中空のシャフトとは、２つのエンジンの各々によって駆動されても良い。更に別の代替例として、各エンジンは、プロペラと関連する電動モーターを駆動する発電機を駆動しても良い。これは、船の中の適当な場所において互いに連続させて２つのエンジンを配置することを可能にする。
【００１０】
　好ましい実施形態においては、二次外部モーメントに対してＮｍで示された均衡されていない振幅の合計と、ｋＷによって示されたエンジン装置出力との間の比率は、１４０Ｎｍ／ｋＷ乃至３５０Ｎｍ／ｋＷの間隔である。均衡されていない振幅の合計は、外部モーメントに対する２つの寄与率が完全に又は部分的に均衡されているか否かを考慮することなく、２つのエンジンの不均衡の大きさの純粋な合計を意味する。一方のエンジンが１７０Ｎｍ／ｋＷの不均衡を有しており、他方のエンジンが１７５Ｎｍ／ｋＷの不均衡を有している場合には、２つのエンジンのための不均衡な振幅の合計は３４５Ｎｍ／ｋＷである。実際には、多数のファクタが、振動の修正器の使用の形態の介入を必要とする強い船体の振動を生じさせることなく船体に供給することができる振動エネルギの限度を決定する。従って、必要とされている振動修正器無しでエンジンの不均衡の大きさに対する絶対的な限度を固定することは不可能である。２つのエンジンからなる装置の均衡していない振幅の合計が１４０Ｎｍ／ｋＷ未満である場合には、２つのエンジンは、おそらく、相互同期されることなく互いに独立して作動しても良い。もちろん、同期は、依然として利点を提供するかも知れないけれども、省略することもできる。２つのエンジンからなる装置の均衡していない振幅の合計が３５０Ｎｍ／ｋＷよりも高い場合には、外部モーメントのいかなる修正も無く一方のエンジンのみの作動が船体内に強すぎる振動を励起するかもしれないという虞が存在する。船が停止状態の結果による如何なる特別な危険性の範疇にない場合には、２つのエンジンからの寄与率は互いに十分に均衡するので、船は、普通の作動状態において比較的大きな不均衡によって影響を受けないので、作動している一方のエンジンのみによって長期間に亘って船を作動させることができる必要性がそれほど大きくなく、３５０Ｎｍ／ｋＷよりも高い値が許容可能である。部分的なエンジン負荷においては、両方のエンジンが最大出力未満で作動し、均衡が依然として有効である。そして、一方のエンジンによる作動は、かなり短期間に亘る緊急の作動として実行することができる。
【００１１】
　二次外部モーメントに対してＮｍによって示された不均衡の振幅の合計と、ｋＷによって示されたエンジン装置出力との間の比率は、案出されたエンジン装置が、作動時に、振動緩衝器を必要とするように変わらないであろうという特別な確実性を提供するために、適切に、１４０Ｎｍ／ｋＷ〜２７５Ｎｍ／ｋＷの間隔であることができる。
【００１２】
　特別な設計においては、エンジン装置は、各々が７つのシリンダを有している２つのエンジンを含んでおり、この場合には、二次モーメントに似た方法で互いに均衡するために船の船体に対する修正無しで外部四次モーメントが伝達されることが有利かも知れない。従って、これらの外部モーメントのために別個の修正器が必要とされない。このような制限値は、制御ユニットからの調整信号の周期を短くすることに着よするかもしれない。平均的には、これは、長期間に亘ってエンジンのより円滑な作動をもたらすかも知れない。
【００１３】
　制限値が少なくとも１０°である位相誤差に対する所定の制限値よりも小さい位相偏差を許容するように制御ユニットを設計するのが適切であるかも知れない。このような制限値は、制御ユニットからの調整信号の周期を短くすることに寄与するかも知れない。平均的には、これは、長期間に亘ってエンジンのより円滑な作動をもたらすかも知れない。
【００１４】
　制御ユニットが、制限値が所望のスピードの少なくとも１５％であるスピードの誤差に対する所定の制限値よりも低いスピードの偏差を許容することもまた適切である。制御ユニットからの修正信号を有しないスピードのこの比較的大きな偏差は、特に、船が船体面の後部のプロペラの近くの伴流域が海の中で船の動き及び波の通過によって周期的に変化するかも知れない荒海内を曳航中である場合に適切であるかも知れない。これらの変化は、プロペラの負荷が互いに変化し、これがエンジンのスピードの差を生じさせることを意味する両方のプロペラに対して同時に起こらない。この変化が周期的であるので、一つのエンジンは、他方のエンジンはより遅く作動するであろう。従って、これは、制御ユニットがエンジンの平均速度のより長期間に亘る変化に作用し合うだけである場合に有利である。　
【発明を実施するための最良の形態】
【００１５】
　本発明を、図面を参考にして以下により詳細に説明する。
　図１は、２つの船尾２を有している双スケグ型の船体の形態の船体１を備えた船の船尾を示している。２つのエンジン３は、船の長手方向中心面４を中心に対称的に併設されている。各エンジンは、例えば、ＭＣ又はＭＥタイプのＭＡＮ　Ｂ＆Ｗ　Ｄｉｅｓｅｌエンジンのような２ストロークのクロスヘッドエンジンである。ＭＣエンジンは、クランクシャフトからのチェーン駆動装置によって駆動されるカムシャフトを有しており、ＭＥエンジンは、カムシャフトを有しない電子制御エンジンである。これらのエンジンは、２４ｃｍ乃至１１０ｃｍ、典型的には、４０ｃｍ乃至９０ｃｍの間隔のシリンダ寸法を有していても良い。２つのエンジンの総出力は、典型的には２，５００ｋＷを超える。エンジンの最大連続定格速度は、５０ｒｐｍ乃至３００ｒｐｍ、好ましくは５０ｒｐｍ乃至１８０ｒｐｍの間隔である。
【００１６】
　図１に図示されているように、各エンジンは、例えば、同じ寸法の５つのシリンダ１８を有していても良い。４つのシリンダよりも少ない場合に、エンジンの出力は、別個のエンジンを構築するコストに対して小さすぎる。８つのシリンダを有するエンジンは、通常は、ほんの小さい外部モーメントを有する微細な振動特性を有しており、従って、本発明は、特に、各エンジンが４乃至７個のシリンダの多数のシリンダを有しているエンジン装置に関する。上記したように、自由モーメントとも呼ばれ得る外部モーメントが、個々のエンジンからの修正無しで船の船体に伝達される。外部モーメントのいくつかの緩衝、従って、修正は、エンジンの床及び他の構造部材において起こるかもしれないことは明らかである。従って、“修正無し”という用語は、外部モーメントが船の船体に必ず１００％伝達されることを意味すると考えられるべきではなく、むしろ、外部モーメントが実質的にエンジンから船体へと伝達されること及び一つのエンジンからの外部モーメントを許容できないレベルから無害なレベルまで減衰させるために、他方のエンジンとは独立して特別な積極的に修正する振動減衰機が使用されないことを意味すると考えられるべきである。
【００１７】
　２ストロークのクロスヘッドエンジンの基本的な構造は、極めて良く知られており、詳細な説明は不要である。エンジン３の各々は、シャフト６を介してプロペラ５に直に結合されており、シャフト６は、プロペラシャフトによって構成されても良いし又は１以上の中間シャフトとプロペラシャフトとによって構成されても良い。プロペラは、一定のピッチのプロペラであるのが好ましいけれども、可変ピッチのプロペラを使用することもできる。
【００１８】
　２つのエンジンの作動による第１の作動モードにおいては、制御ユニット７は、エンジンのスピードが同期されていること及びこれらの相互位相角の設定が外部モーメントが互いに対抗するようになされていることを確実にしている。一つの実施形態においては、制御ユニットは、両方のエンジンに制御信号を伝達し、これらのエンジンが完全に同じ設計であるという利点を提供しても良い。もう一つ別の実施形態においては、一方のエンジンが制御ユニットによって制御されることなくマスター（親）エンジンとして作動し、他方のエンジンは、副エンジンとして作動し、この副エンジンは、同副エンジンをマスターエンジンと同期された状態に維持する制御信号を制御ユニットから受け取る。この場合には、マスターエンジンには、クランクシャフトの角度位置についてのデータをサンプリングし且つ同角度位置に関する信号を制御ユニットに伝達するセンサーユニットが設けられている。
【００１９】
　エンジンからの外部モーメントは船体を振動させるかも知れない。多数の異なるファクタが、特別な大きさの外部モーメントがうるさい振動を起こすもとになるか否かを判定する。一つのファクタは、振動の形態であり、この点において、垂直振動モードは、外部モーメントが二次的なものであるときに重要である。図２は、３つの交点による垂直方向の船体の振動に対する振動モードａと、４つの交点１５による垂直方向の船体の振動に対する振動モードｂと共に、船の船体１の輪郭を示している。
【００２０】
　もう一つ別のファクタは、外部モーメントの周波数である。二次外部モーメントは、エンジンのスピードの２倍の１分間当たりのサイクル数（ｃｐｍ）を有している。外部モーメントは、外部モーメントの周波数が振動モードの自然周波数と一致しているか又は近いときに、振動モードに不所望な大量のエネルギを供給するかもしれない。
【００２１】
　従って、第三のファクタは、種々の振動モードの自然周波数である。これらの自然周波数は主要な寸法及び船の船体の構造に依存し且つある程度は負荷条件にも依存する。図３は、運搬船に対する載貨重量トン数（１，０００ｔ）と、垂直方向の船体の振動における２，３，４及び５個の交点による振動モードの自然周波数との間の相関関係に対する経験的なデータを示している。各振動モードに対して、あや目領域は、自然周波数の存在の間隔を示している。
【００２２】
　次に、制御ユニット７の実施形態を図４を参考にしてより詳細に説明する。各エンジンには、クランクシャフトの角度方向の動きをサンプリングするセンサーユニット８が設けられている。センサーユニット８は、例えば、シャフト上のゼロ指示器がセンサーを通過する度毎に信号を伝達するセンサーを有しており、シャフトの回転毎に一つの信号が伝達される。センサーユニット８はまた、例えば、４５°のシャフトの回転毎に一つの信号を伝達するような、シャフトが所定の度数だけ回転する毎に一つの信号を伝達する１以上のセンサーを有していても良い。信号は、例えば、シャフト上に取り付けられたマーカーがセンサーを通過するときに伝達されても良い。センサーユニットは、光学的増分エンコーダとして知られているタイプのものであっても良い。これは、エンジンの角度方向の運動についての増幅されたデジタル信号を伝達しても良い。
【００２３】
　エンジンの角度方向の運動に関するデータは、センサーユニット８から信号ライン９を介して制御ユニット７に伝達され、制御ユニット７においてデータ修正ユニット１０内に記憶され、コンパレータ１１は、データ修正ユニット１０からデータをピックアップし且つエンジン間の現在のスピード差と同エンジン間の現在の相互位相角差とを計算する。エンジンのスピードのあらゆる差が回転誤差記憶装置内に記憶され、次いで、回転誤差に対する所定の制限値と比較される。制限値を超えている場合には、パルス指示器１２が、信号ライン１３を介して修正信号を一方のエンジンのためのエンジン制御ユニット１４に伝達する。
【００２４】
　一方のエンジンがマスターエンジンである場合には、修正信号は、副エンジンのエンジン制御ユニット１４に伝達される。エンジンが併設されている場合には、制御ユニット７は、例えば、エンジン制御ユニット１４と一体化され、エンジン制御ユニット１４は、エンジン装置が所望の出力よりも高いか又は低い出力を供給するか否かを示すデータに基づいた信号を受け取るエンジンを選択することを可能にする。エンジン装置の出力が高すぎる場合には、速い方のエンジンには、より遅く動かすための修正信号が付与され、エンジン装置の出力が低すぎる場合には、遅い方のエンジンにより速く動かすための信号が付与されても良い。
【００２５】
　コンパレータ１１によって計算されたエンジン同士の間の位相差の値が所望の位相差に対する所定の値と比較され、これら２つの値の差が位相誤差として記憶される。次いで、位相誤差は、位相誤差に対する所定の制限値と比較され、制限値を超えている場合には、パルス指示器１２は、信号ライン１２を介して修正信号をエンジンのうちの一方のエンジン制御ユニット１４に伝達する。この信号は、２つのエンジンのどちらか一つに伝達されても良いし又は一方のエンジンがマスターエンジンである場合には副エンジンに伝達されても良い。
【００２６】
　所望の位相差は、交点の配置に関して船の中のエンジンの位置に依存する。図５は、両方のエンジンが、３つの交点を備えた振動モードで一番後の交点１５の後に配置されている実施形態を示している。図示上の理由から、エンジンは船の長手方向における同じ位置に重ねられたものとして描かれているけれども、エンジンは互いに併設されていること、すなわち、船を横切る方向において相互に分離された同じ長手方向の位置に配置されていることは理解されるべきである。この場合には、垂直方向の力の対１７が可能な程度まで反対方向位相であるように、所望の位相差は１８０°である。図６には、発電機１６を駆動するエンジン同士の間に交点１５が配置された状態で配置されるべきエンジン３が示されている。交点に対するエンジンのこの配置においては、垂直方向の力の対は、交点を中心として反対向きに向けられたモーメントによって振動モードに影響を及ぼすので、所望の位相差は０°である。
【００２７】
　制御ユニット７のもう一つ別の実施形態は、米国特許第３，３６７，１１０号に記載されているような所謂フリップ−フロップユニットである。
　本発明の利点が一つの例によって図示されている。１００，０００トンのｄｗｔを有する運搬船のエンジン装置は、少なくとも１８，９００ｋＷの推進出力を必要とする。この出力は、ＭＡＮ　Ｂ＆Ｗ　Ｄｉｅｓｅｌの５Ｓ８０ＭＣ−Ｃエンジンの形態の一般的な単一エンジンからなる装置によって供給されても良い。このエンジンは、７６ｒｐｍのスピードにおいて１９，４００ｋＷの出力を有している。このエンジンは、不均衡を減じるために不均衡な重りの使用を必要としている不均衡と２５２Ｎｍ／ｋＷのエンジン装置出力との間の比率に対応して、１５２ｃｐｍにおいて４，８９５ｋＮｍの二次の自由モーメントにおける不均衡を有している。
【００２８】
　２つのエンジンからなる装置としての本発明によるエンジン装置の設計においては、推進出力は、各々が１２７ｒｐｍの速度で９，４８０ｋＷの出力である２つの６Ｓ５０ＭＥ−Ｃエンジンによって供給することができる。各エンジンは、不均衡と単独で動いているときのエンジン出力との間の８１Ｎｍ／ｋＷの比率に対応して、２５４ｃｐｍにおいて７７１ｋＮｍの二次の自由モーメントにおける不均衡を有している。出力に対する不均衡が著しく低減されることがすぐさま明らかとなる。両方のエンジンが作動しているときには、不均衡は実質的に均衡される。これらの低いレベルの不均衡は、更なる処置を講ずることなく許容可能であり、不均衡を減衰するために回転する平衡錘が必要とされない。
【産業上の利用可能性】
【００２９】
　本発明の実施形態の上記の説明は、互いに組み合わせて、特許請求の範囲の範囲内に含まれる新しい実施形態としても良い。
【図面の簡単な説明】
【００３０】
【図１】図１は、本発明によるエンジン装置の概略を示す図である。
【図２】図２は、船の船体内の振動モードの例を示す図である。
【図３】図３は、外部部材と船の船体内の振動との間で起こる共鳴の例を示しているグラフである。
【図４】制御ユニットの実施形態の概略の構成図である。
【図５】現在の船体の振動の交点の後の船尾内に取り付けられている２つのエンジンを備えたエンジン装置を示している構成図である。
【図６】現在の船体の振動の交点の前及び後の船尾内に取り付けられている２つのエンジンを備えたエンジン装置を示している構成図である。
【符号の説明】
【００３１】
２　船尾、　　３　エンジン、　　５　プロペラ、
６　シャフト、　　７　制御ユニット、　　８　センサーユニット、
９　信号ライン、　　１０　データ修正ユニット、
１１　コンパレータ、　　１２　パルス指示器、
１３　信号ライン、　　１４　エンジン制御ユニット、
１５　交点、　　１６　発電機、　　１８　シリンダ、　　
【図１】
2004131074.tif 000003
【図２】
2004131074.tif 000004
【図３】
2004131074.tif 000005
【図４】
2004131074.tif 000006
【図５】
2004131074.tif 000007
【図６】
2004131074.tif 000008
【手続補正書】
【提出日】平成16年1月15日(2004.1.15)
【手続補正１】
【補正対象書類名】図面
【補正対象項目名】全図
【補正方法】変更
【補正の内容】
【図１】
2004131074.tif 000009
【図２】
2004131074.tif 000010
【図３】
2004131074.tif 000011
【図４】
2004131074.tif 000012
【図５】
2004131074.tif 000013
【図６】
2004131074.tif 000014